(57)【要約】【課題】光ディスクへの記録に当たって、光ディスクを回転させる速度を制御することで不要な消費電力を抑えることができるようにする。【解決手段】ホストコンピュータ２からドライブ装置１に記録の要求（ＷＲＩＴＥコマンド）が来た場合、ドライブ装置１の電源情報取得手段は、ホストコンピュータ２で省エネルギーモードが設定されているか否かを調べる。ホストコンピュータ２で省エネルギーモードが設定されていた場合、ドライブ装置１の回転制御モード選択手段は、回転制御手段による記録方式をＣＡＶ方式に設定する。この設定後、又は省エネルギーモードが設定されていない場合、それぞれの記録モード（ＣＬＶ　ｏｒ　ＣＡＶ）でディスク３へのデータ記録を開始する。【選択図】　　　　図４
2004103185.tif 000002
【特許請求の範囲】
【請求項１】
光学的情報記録媒体に対して光を照射することにより情報記録を行う光学的情報記録装置であって、
前記光学的情報記録媒体を角速度一定および線速度一定の少なくとも２つの回転制御モードで情報記録可能に回転させる回転制御手段と、
情報記録を行うときの電源管理の情報を取得する電源情報取得手段と、
前記電源情報取得手段で取得した電源管理の情報に基づいて前記回転制御モードの選択を行う回転制御モード選択手段と、を備えたことを特徴とする光学的情報記録装置。
【請求項２】
情報記録可能に挿入された光学的情報記録媒体がランダムアクセス可能か否かを識別する識別手段を備え、
挿入された光学的情報記録媒体が前記識別手段によりランダムアクセス可能と識別された場合のみ前記回転制御モード選択手段が電源管理の情報に基づいた選択を行うことを特徴とする請求項１記載の光学的情報記録装置。
【請求項３】
前記電源情報取得手段は、接続されたホストコンピュータの電源がバッテリであるか否かの情報を取得し、取得された該情報を用いて前記回転制御モード選択手段が前記回転制御モードの選択を行うことを特徴とする請求項１又は２記載の光学的情報記録装置。
【請求項４】
前記回転制御モード選択手段は、前記電源情報取得手段により前記ホストコンピュータの電源がバッテリであるという情報が取得されると、該ホストコンピュータで設定された省エネモードに応じて回転制御モードの選択を切り替えることを特徴とする請求項３記載の光学的情報記録装置。
【請求項５】
光学的情報記録媒体に対して光を照射することにより情報記録を行う光学的情報記録装置と、該光学的情報記録装置に接続されて当該装置を制御可能なホストコンピュータとを備えてなる光学的情報記録システムであって、
前記ホストコンピュータは、
外部からの入力を受ける入力手段と、
前記光学的情報記録装置による前記光学的情報記録媒体への情報記録を前記入力手段からの入力により省エネルギーモードに設定して制御する制御手段とを備え、
前記光学的情報記録装置は、
前記光学的情報記録媒体を角速度一定および線速度一定の少なくとも２つの回転制御モードで情報記録可能に回転させる回転制御手段と、
前記ホストコンピュータが前記省エネルギーモードに設定されているか否かの情報を取得する電源情報取得手段と、
前記電源情報取得手段により前記省エネルギーモードに設定されているという情報が取得されると前記角速度一定の回転制御モードを選択する回転制御モード選択手段と、を備えたことを特徴とする光学的情報記録システム。
【請求項６】
前記光学的情報記録装置は、
情報記録可能に挿入された光学的情報記録媒体がランダムアクセス可能か否かを識別する識別手段を備え、
前記回転制御モード選択手段は、挿入された光学的情報記録媒体が前記識別手段によりランダムアクセス可能と識別された場合のみ、前記省エネルギーモードに設定されているという情報により前記角速度一定の回転制御モードの前記選択を行うことを特徴とする請求項５記載の光学的情報記録システム。
【請求項７】
前記ホストコンピュータの前記制御手段は、電源がバッテリであるか否かを識別し、バッテリであると識別すると該バッテリの残容量を確認し、前記省エネルギーモードは複数段階の設定が可能な中から確認された前記残容量に応じて設定されることを特徴とする請求項５又は６記載の光学的情報記録システム。
【請求項８】
前記電源情報取得手段は、前記省エネルギーモードにおける複数段階の内の設定された段階の情報を取得し、
前記回転制御モード選択手段は、前記電源情報取得手段により取得された前記設定された段階の情報に応じて異なる回転制御モードを選択することを特徴とする請求項７記載の光学的情報記録システム。
【請求項９】
光学的情報記録媒体に対して光を照射することにより情報記録を行う光学的情報記録方法であって、
省エネルギーモードに設定されているか否かを識別するモード識別工程と、
前記モード識別工程で省エネルギーモードに設定されていると識別すると、前記光学的情報記録媒体を角速度一定の回転制御モードで情報記録可能に回転させて情報記録を行う角速度一定記録工程と、を備えたことを特徴とする光学的情報記録方法。
【請求項１０】
光学的情報記録装置に情報記録可能に挿入された光学的情報記録媒体がランダムアクセス可能か否かを識別する媒体識別工程を備え、
前記媒体識別工程によりランダムアクセス可能と識別された場合のみ、前記角速度一定記録工程での情報記録を行うことを特徴とする請求項９記載の光学的情報記録方法。
【請求項１１】
ホストコンピュータの電源がバッテリであるか否かを識別する電源識別工程と、
前記電源識別工程により電源がバッテリであると識別されると、該バッテリの残容量を確認する残容量確認工程と、
前記省エネルギーモードを複数段階の設定が可能な中から前記残容量確認工程で確認された残容量に応じて設定するモード設定工程と、を備えたことを特徴とする請求項９又は１０記載の光学的情報記録方法。
【請求項１２】
前記モード識別工程では、前記モード設定工程により設定された前記省エネルギーモードの段階を識別し、
前記角速度一定記録工程では、前記モード識別工程で識別された前記省エネルギーモードの段階に応じて異なる角速度による回転制御モードを選択することを特徴とする請求項１１記載の光学的情報記録方法。
【発明の詳細な説明】
【０００１】
【発明の属する技術分野】
本発明は、例えばＣＤ−Ｒ／ＲＷ、ＤＶＤ−Ｒ／−ＲＷ、＋Ｒ／＋ＲＷといった光学的情報記録媒体に光を照射することで情報記録を行う光学的情報記録装置、システム、及び方法に関する。
【０００２】
【従来の技術】
一般に、書き換え可能な光ディスクとして、例えばＣＤ−Ｒ／ＲＷ、ＤＶＤ−Ｒ／−ＲＷ、＋Ｒ／＋ＲＷがあり、そうした光ディスクの少なくとも１種類に対して読み出しや書き込みが可能な各種のドライブ装置（光学的情報記録装置）がある。
【０００３】
こうしたドライブ装置での記録方式は、ＣＬＶ（Ｃｏｎｓｔａｎｔ　Ｌｉｎｅａｒ　Ｖｅｌｏｃｉｔｙ：内周と外周とで記録速度（線速度）が一定）方式が一般的だったが、近年の記録速度の高速化に伴い、内周と外周で回転速度に差が出すぎてしまい、内周記録時の線速度を外周記録時と同じに保つのが困難になってきた。
このため、記録方式としてＣＡＶ（Ｃｏｎｓｔａｎｔ　Ａｎｇｕｌａｒ　Ｖｅｌｏｃｉｔｙ：ディスク回転速度（角速度）が一定）方式をサポートする装置も出てきた。
【０００４】
また、先願発明例として特開２０００−１８２３０９号公報（特許文献１）がある。
この発明は、消費電力を抑制すると共に騒音を押さえることを目的とするものであり、その解決手段は基本的に装置を等倍速（１倍速のＣＬＶ）で動作させ、必要に応じて倍速指定する、というものである。
【０００５】
【特許文献１】
特開２０００−１８２３０９号公報
【０００６】
【発明が解決しようとする課題】
しかしながら、上記した従来のドライブ装置、即ち記録方式としてＣＡＶとＣＬＶとをサポートするドライブ装置に、ランダムアドレス記録可能な光ディスクが挿入され、ドライブ装置がディスクに対して内周を記録した後、すぐに外周を記録するような動作を行った場合、ＣＬＶ方式で記録するのとＣＡＶ方式で記録するのとでは動作が異なる。
【０００７】
記録方式がＣＬＶ方式だった場合、内周と外周ではディスクの回転速度が異なるので、外周を記録する時、装置はディスクの線速度を内周で記録を行った速度に合わせる必要がある。この為、装置はディスクの回転速度を下げる作業が発生する。逆に外周を記録した後内周を記録する場合はディスクの回転速度を上げなければならない。
一方、記録手段がＣＡＶ方式だった場合は、回転速度を変える必要はない。
【０００８】
従って、ＣＬＶ方式での情報記録は、ＣＡＶ方式に比べて回転速度制御の為の電力を消費してしまう。ランダムアクセスで、内周と外周を頻繁に交互に記録するような場合だと、記録方式がＣＡＶか、ＣＬＶかで消費電力に差がでる。
これは例えば、装置がノートＰＣに内臓されていて、ノートＰＣのバッテリで駆動している場合等は切実な問題となる。また、バッテリ駆動でない場合でも消費電力は少ない方が望ましい。
【０００９】
本発明はこのような状況に鑑みてなされたものであり、光ディスクへの記録に当たって、光ディスクを回転させる速度を制御することで不要な消費電力を抑えることができる光学的情報記録装置、システム、及び方法を提供することである。
【００１０】
【課題を解決するための手段】
かかる目的を達成するために、本発明は以下の特徴を有する。
請求項１記載の発明は、光学的情報記録媒体に対して光を照射することにより情報記録を行う光学的情報記録装置であって、光学的情報記録媒体を角速度一定および線速度一定の少なくとも２つの回転制御モードで情報記録可能に回転させる回転制御手段と、情報記録を行うときの電源管理の情報を取得する電源情報取得手段と、電源情報取得手段で取得した電源管理の情報に基づいて回転制御モードの選択を行う回転制御モード選択手段と、を備えたことを特徴とする。
【００１１】
請求項２記載の発明は、情報記録可能に挿入された光学的情報記録媒体がランダムアクセス可能か否かを識別する識別手段を備え、挿入された光学的情報記録媒体が識別手段によりランダムアクセス可能と識別された場合のみ回転制御モード選択手段が電源管理の情報に基づいた選択を行うことを特徴とする。
【００１２】
請求項３記載の発明は、上記した電源情報取得手段が、接続されたホストコンピュータの電源がバッテリであるか否かの情報を取得し、取得された該情報を用いて回転制御モード選択手段が回転制御モードの選択を行うことを特徴とする。
【００１３】
請求項４記載の発明は、上記した回転制御モード選択手段が、電源情報取得手段によりホストコンピュータの電源がバッテリであるという情報が取得されると、該ホストコンピュータで設定された省エネモードに応じて回転制御モードの選択を切り替えることを特徴とする。
【００１４】
請求項５記載の発明は、光学的情報記録媒体に対して光を照射することにより情報記録を行う光学的情報記録装置と、該光学的情報記録装置に接続されて当該装置を制御可能なホストコンピュータとを備えてなる光学的情報記録システムであって、ホストコンピュータは、外部からの入力を受ける入力手段と、光学的情報記録装置による光学的情報記録媒体への情報記録を入力手段からの入力により省エネルギーモードに設定して制御する制御手段とを備え、光学的情報記録装置は、光学的情報記録媒体を角速度一定および線速度一定の少なくとも２つの回転制御モードで情報記録可能に回転させる回転制御手段と、ホストコンピュータが省エネルギーモードに設定されているか否かの情報を取得する電源情報取得手段と、電源情報取得手段により省エネルギーモードに設定されているという情報が取得されると角速度一定の回転制御モードを選択する回転制御モード選択手段と、を備えたことを特徴とする。
【００１５】
請求項６記載の発明は、上記した光学的情報記録装置が、情報記録可能に挿入された光学的情報記録媒体がランダムアクセス可能か否かを識別する識別手段を備え、上記した回転制御モード選択手段は、挿入された光学的情報記録媒体が識別手段によりランダムアクセス可能と識別された場合のみ、省エネルギーモードに設定されているという情報により角速度一定の回転制御モードの選択を行うことを特徴とする。
【００１６】
請求項７記載の発明は、上記したホストコンピュータの制御手段が、電源がバッテリであるか否かを識別し、バッテリであると識別すると該バッテリの残容量を確認し、省エネルギーモードは複数段階の設定が可能な中から確認された残容量に応じて設定されることを特徴とする。
【００１７】
請求項８記載の発明は、上記した電源情報取得手段が、省エネルギーモードにおける複数段階の内の設定された段階の情報を取得し、回転制御モード選択手段は、電源情報取得手段により取得された設定された段階の情報に応じて異なる回転制御モード（ＣＡＶ記録時回転速度）を選択することを特徴とする。
【００１８】
請求項９記載の発明は、光学的情報記録媒体に対して光を照射することにより情報記録を行う光学的情報記録方法であって、省エネルギーモードに設定されているか否かを識別するモード識別工程と、モード識別工程で省エネルギーモードに設定されていると識別すると、光学的情報記録媒体を角速度一定の回転制御モードで情報記録可能に回転させて情報記録を行う角速度一定記録工程と、を備えたことを特徴とする。
【００１９】
請求項１０記載の発明は、光学的情報記録装置に情報記録可能に挿入された光学的情報記録媒体がランダムアクセス可能か否かを識別する媒体識別工程を備え、媒体識別工程によりランダムアクセス可能と識別された場合のみ、角速度一定記録工程での情報記録を行うことを特徴とする。
【００２０】
請求項１１記載の発明は、ホストコンピュータの電源がバッテリであるか否かを識別する電源識別工程と、電源識別工程により電源がバッテリであると識別されると、該バッテリの残容量を確認する残容量確認工程と、省エネルギーモードを複数段階の設定が可能な中から残容量確認工程で確認された残容量に応じて設定するモード設定工程と、を備えたことを特徴とする。
【００２１】
請求項１２記載の発明は、上記したモード識別工程では、モード設定工程により設定された省エネルギーモードの段階を識別し、上記した角速度一定記録工程では、モード識別工程で識別された省エネルギーモードの段階に応じて異なる角速度による回転制御モード（ＣＡＶ記録時回転速度）を選択することを特徴とする。
【００２２】
【発明の実施の形態】
次に、本発明に係る光学的情報記録装置、システム、及び方法を図１から図９を用いて詳細に説明する。
以下に、本発明に係る光学的情報記録装置をＣＤ−Ｒ／ＲＷドライブ装置に適用した場合の実施形態について説明する。
【００２３】
本発明の実施形態としての光学的情報記録システムは、図１に示すように、ディスク（ＣＤ−ＲＷディスクなど）３への情報の読み出し（再生）や書き込み（記録）を行うドライブ装置（光学的情報記録装置）１と、そのドライブ装置１に接続されて当該ドライブ装置１を制御可能なホストコンピュータ２とを備えて構成される。
また、上記のディスク３は、ドライブ装置１に所定の方式により装着されて光を照射することにより情報の記録や再生が可能なものである。
【００２４】
ドライブ装置１は、所定の方式により装着されたディスク３を回転させるスピンドルモータ１１と、ディスク３にレーザを照射するための光ピックアップ１３と、それらの制御を行うものとを備えている。スピンドルモーター１１の回転制御は回転制御系１２で行い、光ピックアップ１３の制御は光ピックアップ制御系１７で行う。粗動モータ１４は光ピックアップ１３をディスクの半径方向に移動させるモータで、粗動モータ１４の制御を行うのが粗動モータ制御系１５である。また、信号処理系１６は光ピックアップ１３からの信号の処理や、ディスク３に記録を行う為のデータの送受信を行う。コントローラ１８は装置全体の制御を行うものである。
【００２５】
すなわち、コントローラ１８による制御の下に、上記した回転制御系１２がスピンドルモータ１１を制御すると共に、上記した粗動モータ制御系１５が粗動モータ１４を制御して光ピックアップ１３を移動させ、その光ピックアップ１３を光ピックアップ制御系１７が制御することにより、ディスク３を予め定められた回転制御モードで情報記録可能に回転させる回転制御手段として機能する。
この回転制御手段は、所定の方式によりドライブ装置１に装着されたディスク３を、ＣＬＶ（線速度一定）方式やＣＡＶ（角速度一定）方式の少なくとも２つの回転制御モードで情報記録可能に回転させて制御する。また、このＣＡＶ方式は、複数の角速度による回転制御モードを備えている。
【００２６】
また、コントローラ１８による制御の下に、ディスク３に照射した光を受けた光ピックアップ１３からの信号の処理を信号処理系１６が行うことにより、そのディスク３がランダムアクセス可能か否かを識別する識別手段として機能する。
【００２７】
また、コントローラ１８がホストコンピュータ２と通信を行うことで、ホストコンピュータ２が省エネルギーモードに設定されているか否かなど、ホストコンピュータ２がドライブ装置１により情報記録を行うときの電源管理の情報を取得する電源情報取得手段として機能する。なお、ここで取得する上記電源管理の情報とは、ホストコンピュータ２が省エネルギーモードに設定されているか否か、設定されているならば複数段階の内のどの段階として設定されているか、といった情報である。
また、コントローラ１８は、ホストコンピュータ２の上記した電源管理の情報に基づいて予め定められた回転制御モードの選択を行う回転制御モード選択手段としても機能する。
【００２８】
ホストコンピュータ２は、ユーザからの入力を受ける入力手段と、ホストコンピュータ２の動作やドライブ装置１との通信などの制御を行う制御手段とを備えてなる。
入力手段は、例えばキーボードやマウスなどである。
制御手段は、ＣＰＵなど所要の電子部品がＨＤＤなどの記憶部に記憶されたプログラムにより動作することで機能し、ドライブ装置１によるディスク３への情報記録を省電力モードに設定したり、電源がバッテリであるか否かを識別したり、バッテリであると識別するとそのバッテリの残容量を確認して複数段階の設定が可能な省エネルギーモードの中から確認されたその残容量に応じて省エネルギーモードの段階を設定したりする。
【００２９】
次に、本発明の実施形態としての光学的情報記録システムの動作について説明する。
まずホストコンピュータ２が省エネルギーモードを設定する手段を説明する。ここでは、ホストコンピュータ２が省エネルギーモードを設定する手段として、ＭｏｄｅＰａｇｅを用いる場合を例に説明する。
【００３０】
図２にＰｏｗｅｒ　ｃｏｎｄｉｔｉｏｎ　ｐａｇｅのＢｙｔｅ３、Ｂｉｔ２に、省エネルギーモード用のビットとしてＰＭＣＷＭ（Ｐｏｗｅｒ　Ｍａｎａｇｅｍｅｎｔ　ｂｙ　Ｃｈａｎｇｉｎｇ　Ｗｒｉｔｅ　Ｍｅｔｈｏｄ　）を用意したものを示す。
以降に、ホストコンピュータ２がこのＰＭＣＷＭを”１”にセットした場合、省エネルギモードに設定したことを意味し、”０”にセットした場合は、省エネルギーモードに設定していないことを意味するものとして説明していく。なお、上記のＰＭＣＷＭビットの設定は、ＭｏｄｅＳｅｌｅｃｔコマンドを用いれば可能である。
なお、本発明ではＳＦＦ８０９０Ｉで定義されるＰｏｗｅｒ　ｃｏｎｄｉｔｉｏｎ　ｐａｇｅを使用する。
【００３１】
ホストコンピュータ２がＰＭＣＷＭに”０”を設定するか、”１”を設定するかは、ライターソフトのオプション等で、例えば図３に示すようなチェックボックスを用意して表示画面に表示されるようにし、ユーザーが該チェックボックスを”チェック”しているか否かで判断してもよい。
【００３２】
次に、ホストコンピュータ２が省エネルギーモードに設定されている場合に、ドライブ装置１が情報記録における回転制御モードを切り替える動作について、図４のフローチャートを用いて説明する。この図４は、ドライブ装置１における動作例を示すものである。
【００３３】
ホストコンピュータ２からドライブ装置１に記録の要求（ＷＲＩＴＥコマンド）が来た場合（ステップＳ１１）、ドライブ装置１の上記した電源情報取得手段は、ホストコンピュータ２で省エネルギーモードが設定されているか否かを調べる（ステップＳ１２）。
これは、図２に示すＰｏｗｅｒ　ｃｏｎｄｉｔｉｏｎ　ｐａｇｅのＢｙｔｅ３、Ｂｉｔ２のＰＭＣＷＭが”１”にセットされているか否かで判断すれば良い。”１”（省エネルギーモードが設定されていた場合）はステップＳ１３へ、”０”（省エネルギーモードが設定されていた場合）はステップＳ１４（記録開始）へ移行する。
【００３４】
ホストコンピュータ２で省エネルギーモードが設定されていた場合、ドライブ装置１の上記した回転制御モード選択手段は、上記した回転制御手段による記録方式をＣＡＶ方式に設定する（ステップＳ１３）。この設定は、Ｓｅｔ　ＣＤ　ＳｐｅｅｄコマンドでＷｒｉｔｅＳｐｅｅｄを所定のＳｐｅｅｄに設定してやれば良い。設定されると、ステップＳ１４として、それぞれの記録モード（ＣＬＶ
ｏｒ　ＣＡＶ）でディスク３へのデータ記録を開始する。
【００３５】
次に、ドライブ装置１に装着されたディスク３がランダムアクセス可能か否かの識別結果を用いて上述した回転制御モードの切り替えを行う際の動作について、図５、図６を用いて説明する。
【００３６】
ＣＤ−Ｒ／ＲＷドライブ装置において、ランダムアドレス記録を行うことができるのは、ディスクがＣＤ−ＲＷであり、且つＦｉｘｅｄＰａｃｋｅｔと呼ばれる記録方式の場合のみである。
【００３７】
まず、ＦｉｘｅｄＰａｃｋｅｔについて説明する。
ＦｉｘｅｄＰａｃｋｅｔとは、１つのトラックを複数の固定ブロック長のパケットに分割して書き込む方法である。
あらかじめＣＤ−ＲＷメディアにパケット単位で所定のデータの記録を行っておく（この動作をフォーマットという）ことで、ディスク３にランダムにアクセスできるようになっている。参考として、ＦｉｘｅｄＰａｃｋｅｔされたメディアのデータ構成例を図５に示す。
図中に出てくるランインとランアウトは、いわゆる”継ぎ目”のことで、ランインからランアウト間のデータのまとまりを「パケット」と呼ぶ。
【００３８】
上述したＦｉｘｅｄＰａｃｋｅｔ以外の記録方式の場合（例えばＴｒａｃｋ　ａｔ　Ｏｎｃｅ（ＴＡＯ）、Ｄｉｓｃ　ａｔ　Ｏｎｃｅ（ＤＡＯ）、Ｖａｒｉａｖｌｅ　Ｐａｃｋｅｔ、等）、ランダムアドレス記録はできず、いずれの記録方式でもディスクの内周から順に記録を行っていくことになる。
従って、内周と外周を頻繁に交互に記録するような記録方法はＦｉｘｅｄＰａｃｋｅｔのみなので、記録方式の違い（ＣＬＶか、ＣＡＶか）で消費電力に差が出るのはＦｉｘｅｄＰａｃｋｅｔのみといえる。
【００３９】
従って、図６に示す動作を行わない場合、ＦｉｘｅｄＰａｃｋｅｔ以外の記録では、省エネルギーモードが設定されていたとしても省エネルギーの効果が得られないにも関らず、ホストコンピュータが設定して来る速度と異なる記録方式で記録をすることになる。
【００４０】
この図６に示すランダムアクセス可能か否かの識別結果を用いる動作例について説明する。
ステップＳ２１とステップＳ２２とは、上述したステップＳ１１とステップＳ１２との動作と同様である。
ステップＳ２２で省エネルギーモードが設定されていた場合、ドライブ装置１の上記した識別手段は、装着されたディスク３がＣＤ−ＲＷディスクで且つＦｉｘｅｄＰａｃｋｅｔのディスクであるか否かを判定（識別）する（ステップＳ２３）。
【００４１】
この識別は、挿入されているディスク３がＦＩＸＥＤ　ＰＡＣＫＥＴのＣＤ−ＲＷか否かを見ればよい。ＦＩＸＥＤＰＡＣＫＥＴのＣＤ−ＲＷの場合はランダムアドレス記録を行う可能性があり、そうでなければ、ランダムアドレス記録は行われないと判断する。これはＲｅａｄＤｉｓｃＩｎｆｏコマンドとＲｅａｄＴｒａｃｋコマンドを用いることによって実現できる。
ランダムアドレス記録が行われない場合はステップＳ２４へ、そうでない場合はステップＳ２５へ移行する。ステップＳ２４は上述したステップＳ１３と同様であり、ステップＳ２５は上述したステップＳ１４と同様である。
【００４２】
次に、ホストコンピュータ２の電源状態に応じて上記した回転制御モードを切り替える際の動作について、図７から図９を用いて説明する。
【００４３】
上述したように、状況に応じてＣＡＶ方式に切り替えて記録することにより省エネルギー化を図るとしても、ドライブ装置１での記録速度を速く設定した場合と、記録速度を低く設定した場合とではそのドライブ装置１での消費電力が変わってくる。当然、速い記録速度でドライブ装置１を動作させる場合のほうが消費電力は多くなる。
【００４４】
ドライブ装置１の電源がノートＰＣ等のバッテリ等の場合で、バッテリの残量が少ない場合、上述したようにＣＡＶ方式に切り替えて記録するとしても、記録速度を最高速に設定することは消費電力を考えると望ましくない場合がある。常に最高速として消費電力を大きくしていると、記録の途中でバッテリが切れてしまい電源が落ちてしまう、といった不具合の可能性が高くなる虞がある。
【００４５】
図７に示す本実施形態の動作では、ホストコンピュータ２がドライブ装置に記録の要求をする場合、ホストコンピュータ２はまず、省エネルギーモードを有効にするかどうかを判断する（ステップＳ３１）。この判断は、図３の画面表示例を用いて上述したものである。
【００４６】
ホストコンピュータ２は、ドライブ装置に記録要求を出す前に、ホストコンピュータ２がバッテリ駆動であるか否かを確認（識別）する（ステップＳ３２）。この識別は、Ｗｉｎｄｏｗｓ（登録商標）　ＯＳの場合、電源ステータスを確認すればよい。バッテリ駆動であると判断した場合は、ステップＳ３３へ移行する。
【００４７】
バッテリ駆動と判断した場合には、ホストコンピュータ２の制御手段２２は、バッテリの残容量を確認する（ステップＳ３３）。確認すると、残りバッテリ容量に応じたＰＭＣＷＭを設定する（ステップＳ３４）。設定例を図８に示す。
こうして設定されたＰＭＣＷＭに応じてドライブ装置１は、ＣＡＶの回転速度を決定する。ＣＡＶ速度設定例を図９に示す。
【００４８】
ドライブ装置１の上記した回転制御手段は、例えば図９に示すような複数の回転速度に対応する回転制御モードでの動作が可能であり、回転制御モード選択手段は、ディスク３にデータを記録する際に図９中のＰＭＣＷＭに応じた回転速度の回転制御モードを設定することとしてよい。
【００４９】
このように、本発明に係る光学的情報記録システムは、消費電力を押さえるためにホストコンピュータ２に省エネルギーモードを備え、ユーザが省エネルギーモードに設定した場合は、ホストコンピュータ２とドライブ装置１とを備えてなるシステムは自動的に記録方式をＣＬＶ方式からＣＡＶ方式に変換する。また、ホストコンピュータ２がバッテリ駆動であるかどうかも識別し、バッテリ駆動であると判断（識別）した場合は、そのバッテリ残量に応じて自動的にＣＡＶ記録方式の回転速度を切り替えるものである。
【００５０】
なお、以上に、本発明に係る光学的情報記録装置をＣＤ−Ｒ／ＲＷドライブ装置に適用したものについて説明したが、このものに限定されず、書き込み可能な光学的記録媒体に情報記録を行う光学的情報記録装置であれば、この光学的情報記録装置を例えばＤＶＤ−Ｒ／−ＲＷドライブなどとしても本発明は同様に適用可能である。
【００５１】
【発明の効果】
以上のように、本発明によれば、回転制御モード選択手段が電源管理の情報に基づいて回転制御モードの選択を行うことにより、光学的情報記録媒体への記録に当たって回転による不要な消費電力を抑えることができる。
【００５２】
また、省エネルギーモードに設定されている場合に回転制御モード選択手段が角速度一定の回転制御モードを選択することにより、情報記録に当たって光学的情報記録媒体を線速度一定に回転させることによる不要な消費電力を抑えることができる。すなわち、光学的情報記録媒体の内周と外周とに交互に記録する場合など、線速度を一定に保つ為に回転速度の加速や減速の動作をする必要がなくなるので、消費電力を抑えることができる。
【００５３】
また、情報記録可能に挿入された光学的情報記録媒体がランダムアクセス可能か否かを識別し、ランダムアクセス可能と識別された場合のみ、上記の角速度一定による情報記録を行うことにより、ランダムアクセス可能なディスク以外では光学的情報記録装置による回転制御モードの選択を行わないようにすることができる。
すなわち、省エネルギーモードに設定されていたとしても、記録方式を線速度一定方式から角速度一定方式に変えるだけでは消費電力に差が出ない記録方式（例えばＣＤ−ＲＷにおいては、ＦｉｘｅｄＰａｃｋｅｔ以外）での記録においては、ホストコンピュータが設定してくる記録方式と異なる記録方式で光学的情報記録装置が記録することをなくすことができる。
【００５４】
また、電源がバッテリであるか否かを識別し、バッテリであると識別すると該バッテリの残容量を確認し、その残容量に応じて省エネルギーモードを複数段階の中から設定することにより、バッテリの残容量に応じた省エネルギーモードを選択することができる。
すなわち、バッテリの残量によって省エネルギーモード（角速度一定による設定記録速度）を設定するので、バッテリの容量が少ないにも関らず、高速度で記録してしまい、途中で電源が落ちてしまう、といった不具合の発生頻度を抑えることができる。
【図面の簡単な説明】
【図１】本発明の実施形態としての光学的情報記録システムの構成例を示すブロック図である。
【図２】ＰＭＣＷＭにおける省エネルギーモード設定ビットの例を示す図である。
【図３】ユーザが設定を行う省エネルギーモード設定チェックボックスの表示例を示す図である。
【図４】本実施形態におけるドライブ装置１が情報記録における回転制御モードを切り替える動作の概要を例示するフローチャートである。
【図５】ＦｉｘｅｄＰａｃｋｅｔされた光ディスクにおけるデータ構成例を示す図である。
【図６】ランダムアクセス可能か否かの識別結果を用いて図４に示す動作を行う場合の動作の概要を例示するフローチャートである。
【図７】ホストコンピュータ２の電源状態に応じて上記した回転制御モードを切り替える際の動作の概要を例示するフローチャートである。
【図８】バッテリの残容量（残量）とその残容量におけるＰＭＣＷＭとの設定例を示す図である。
【図９】バッテリの残容量（残量）とその残容量におけるＰＭＣＷＭとＣＡＶの回転速度との設定例を示す図である。
【符号の説明】
１　ドライブ装置（光学的情報記録装置）
１１　スピンドルモータ
１２　回転制御系
１３　光ピックアップ
１４　粗動モータ
１５　粗動モータ制御系
１６　信号処理系
１７　光ピックアップ制御系
１８　コントローラ
２　ホストコンピュータ
２１　入力手段
２２　制御手段
３　ディスク
【図１】
2004103185.tif 000003
【図２】
2004103185.tif 000004
【図３】
2004103185.tif 000005
【図４】
2004103185.tif 000006
【図５】
2004103185.tif 000007
【図６】
2004103185.tif 000008
【図７】
2004103185.tif 000009
【図８】
2004103185.tif 000010
【図９】
2004103185.tif 000011